Podtech/llm-jp-corpus-v4-ja_patent huggingface dataset:
【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
第１始動領域へ遊技球が入賞した後、該入賞にもとづいた変動表示の開始が可能となる第１の開始条件が成立したことにもとづいて、各々が識別可能な第１の識別情報による第１の変動表示を開始し表示結果を導出表示する第１変動表示手段と、第２始動領域へ遊技球が入賞した後、該入賞にもとづいた変動表示の開始が可能となる第２の開始条件が成立したことにもとづいて、各々が識別可能な第２の識別情報による第２の変動表示を開始し表示結果を導出表示する第２変動表示手段とを有し、前記第１変動表示手段または前記第２変動表示手段にあらかじめ定められた特定表示結果が導出表示されたときに遊技者にとって有利な特定遊技状態に制御される遊技機であって、
前記第１の変動表示と前記第２の変動表示とのいずれも実行されていないことを条件に、前記第１の開始条件が成立したときに、前記第１変動表示手段による前記第１の変動表示を開始させる第１変動表示開始手段と、
前記第１の変動表示と前記第２の変動表示とのいずれも実行されていないことを条件に、前記第２の開始条件が成立したときに、前記第２変動表示手段による前記第２の変動表示を開始させる第２変動表示開始手段と、
前記第１の開始条件が成立した前記第１変動表示手段における前記第１の変動表示の変動表示開始時から変動表示終了時までの変動表示時間を含む変動パターンを選択するための第１変動パターン選択処理と、前記第２の開始条件が成立した前記第２変動表示手段における前記第２の変動表示の変動表示開始時から変動表示終了時までの変動表示時間を含む変動パターンを選択するための第２変動パターン選択処理とを、同一の処理ルーチンにより実行し、前記第１変動表示手段および前記第２変動表示手段のうち、変動表示の開始条件が成立した変動表示手段における変動表示の変動表示時間を含む変動パターンを複数の変動パターンから選択する変動パターン選択手段と、
前記第１変動表示手段または前記第２変動表示手段のいずれで特定表示結果が導出表示された場合でも同一の処理ルーチンによって前記特定遊技状態の制御を実行する特定遊技状態制御手段と、
該変動パターン選択手段により選択された変動パターンにもとづいて、前記第１の開始条件が成立したときに前記第１変動表示手段において実行される変動表示の変動表示時間を示す第１データと、前記第２の開始条件が成立したときに前記第２変動表示手段において実行される変動表示の変動表示時間を示す第２データとを、同一の記憶領域に記憶する変動表示時間記憶手段と、
遊技球が進入可能な開放状態と遊技球が進入不可能な閉鎖状態とに制御可能な可変入賞装置と、
前記特定遊技状態に制御させるときに前記可変入賞装置を閉鎖状態から開放状態に制御させる可変入賞装置制御手段と、
前記可変入賞装置に進入した遊技球を検出して入賞検出信号を出力する入賞検出手段と、
前記可変入賞装置制御手段によって前記可変入賞装置が開放状態に制御されていないときに、前記入賞検出手段が前記入賞検出信号を出力したことにもとづいて、異常入賞が発生したと判定する異常入賞判定手段とを備え、
前記可変入賞装置が前記開放状態から前記閉鎖状態に制御された時点から前記特定遊技状態が終了するまでの期間が前記可変入賞装置に進入した遊技球が前記入賞検出手段で検出されるまでの期間よりも長い
ことを特徴とする遊技機。
【手続補正２】
【補正対象書類名】明細書
【補正対象項目名】０００８
【補正方法】変更
【補正の内容】
【０００８】
本発明による遊技機は、第１始動領域へ遊技球が入賞した後、該入賞にもとづいた変動表示の開始が可能となる第１の開始条件が成立したことにもとづいて、各々が識別可能な第１の識別情報による第１の変動表示を開始し表示結果を導出表示する第１変動表示手段と、第２始動領域へ遊技球が入賞した後、該入賞にもとづいた変動表示の開始が可能となる第２の開始条件が成立したことにもとづいて、各々が識別可能な第２の識別情報による第２の変動表示を開始し表示結果を導出表示する第２変動表示手段とを有し、第１変動表示手段または第２変動表示手段にあらかじめ定められた特定表示結果が導出表示されたときに遊技者にとって有利な特定遊技状態に制御される遊技機であって、第１の変動表示と第２の変動表示とのいずれも実行されていないことを条件に、第１の開始条件が成立したときに、第１変動表示手段による第１の変動表示を開始させる第１変動表示開始手段と、第１の変動表示と第２の変動表示とのいずれも実行されていないことを条件に、第２の開始条件が成立したときに、第２変動表示手段による第２の変動表示を開始させる第２変動表示開始手段と、第１の開始条件が成立した第１変動表示手段における第１の変動表示の変動表示開始時から変動表示終了時までの変動表示時間を含む変動パターンを選択するための第１変動パターン選択処理と、第２の開始条件が成立した第２変動表示手段における第２の変動表示の変動表示開始時から変動表示終了時までの変動表示時間を含む変動パターンを選択するための第２変動パターン選択処理とを、同一の処理ルーチンにより実行し、第１変動表示手段および第２変動表示手段のうち、変動表示の開始条件が成立した変動表示手段における変動表示の変動表示時間を含む変動パターンを複数の変動パターンから選択する変動パターン選択手段と、第１変動表示手段または第２変動表示手段のいずれで特定表示結果が導出表示された場合でも同一の処理ルーチンによって特定遊技状態の制御を実行する特定遊技状態制御手段と、該変動パターン選択手段により選択された変動パターンにもとづいて、第１の開始条件が成立したときに第１変動表示手段において実行される変動表示の変動表示時間を示す第１データと、第２の開始条件が成立したときに第２変動表示手段において実行される変動表示の変動表示時間を示す第２データとを、同一の記憶領域に記憶する変動表示時間記憶手段と、遊技球が進入可能な開放状態と遊技球が進入不可能な閉鎖状態とに制御可能な可変入賞装置と、特定遊技状態に制御させるときに可変入賞装置を閉鎖状態から開放状態に制御させる可変入賞装置制御手段と、可変入賞装置に進入した遊技球を検出して入賞検出信号を出力する入賞検出手段と、可変入賞装置制御手段によって可変入賞装置が開放状態に制御されていないときに、入賞検出手段が入賞検出信号を出力したことにもとづいて、異常入賞が発生したと判定する異常入賞判定手段とを備え、可変入賞装置が開放状態から閉鎖状態に制御された時点から特定遊技状態が終了するまでの期間が可変入賞装置に進入した遊技球が入賞検出手段で検出されるまでの期間よりも長いことを特徴とする。
【手続補正書】
【提出日】平成25年1月23日(2013.1.23)
【手続補正１】
【補正対象書類名】特許請求の範囲
【補正対象項目名】全文
【補正方法】変更
【補正の内容】
【特許請求の範囲】
【請求項１】
遊技球が入球可能な第１始動口と、
遊技球の入球可能性が低い閉状態と、前記閉状態よりも遊技球の入球可能性が高い開状態とに変化可能な第２始動口と、
遊技球が入球不能な入球不能状態と、遊技球が入球可能な入球可能状態とに変化可能な大入賞口と、
遊技中に所定条件が成立すると、前記第２始動口を所定時間だけ開状態とする始動口開放手段と、
前記第１始動口又は前記第２始動口に遊技球が入球すると、図柄の変動表示を行う変動表示手段と、
前記図柄の変動表示後に所定の大当り図柄が停止表示されると、前記大入賞口を開状態とする大当り遊技を実行する大当り遊技実行手段と、
前記大当り図柄が停止表示される当り確率を低確率又は高確率に設定する確率設定手段と、
前記第２始動口が開状態となる時間を所定の延長時間とする開放延長機能を作動させる開放延長機能作動手段と、
前記当り確率が前記低確率とされ、前記開放延長機能が作動していない第１の低確状態にて、前記第１始動口への入球を契機とした前記図柄の変動表示後に所定の確変大当り図柄が停止表示されて前記大当り遊技が実行されると、該大当り遊技の終了後に、前記当り確率が前記高確率とされ、前記開放延長機能が作動しない第１の高確状態を発生させる第１の高確状態発生手段と、
前記第１の高確状態にて、前記第１始動口への入球を契機とした前記図柄の変動表示後に所定の確変大当り図柄が停止表示されて前記大当り遊技が実行されると、該大当り遊技の終了後に、前記当り確率が前記高確率とされ、次に大当り遊技が実行されるまで前記開放延長機能が作動する第２の高確状態を発生させる第２の高確状態発生手段と、
前記第２の高確状態にて、前記第２始動口への入球を契機とした前記図柄の変動表示後に所定の通常大当り図柄が停止表示されて前記大当り遊技が実行されると、該大当り遊技の終了後に、前記当り確率が前記低確率とされ、前記図柄の変動表示回数が所定の限度回数に達するまで前記開放延長機能が作動する第２の低確状態を発生させる第２の低確状態発生手段と、
を備えることを特徴とする弾球遊技機。
【請求項２】
請求項１に記載の弾球遊技機において、
前記第２の低確状態にて、前記図柄の変動表示回数が前記限度回数に達して前記開放延長機能が作動終了すると、前記第１の低確状態を発生させる
ことを特徴とする弾球遊技機。  
【手続補正２】
【補正対象書類名】明細書
【補正対象項目名】０００８
【補正方法】変更
【補正の内容】
【０００８】
上記課題の少なくとも一部を解決するために、請求項１に係る発明は、次の構成を採用した。すなわち、
遊技球が入球可能な第１始動口と、
遊技球の入球可能性が低い閉状態と、前記閉状態よりも遊技球の入球可能性が高い開状態とに変化可能な第２始動口と、
遊技球が入球不能な入球不能状態と、遊技球が入球可能な入球可能状態とに変化可能な大入賞口と、
遊技中に所定条件が成立すると、前記第２始動口を所定時間だけ開状態とする始動口開放手段と、
前記第１始動口又は前記第２始動口に遊技球が入球すると、図柄の変動表示を行う変動表示手段と、
前記図柄の変動表示後に所定の大当り図柄が停止表示されると、前記大入賞口を開状態とする大当り遊技を実行する大当り遊技実行手段と、
前記大当り図柄が停止表示される当り確率を低確率又は高確率に設定する確率設定手段と、
前記第２始動口が開状態となる時間を所定の延長時間とする開放延長機能を作動させる開放延長機能作動手段と、
前記当り確率が前記低確率とされ、前記開放延長機能が作動していない第１の低確状態にて、前記第１始動口への入球を契機とした前記図柄の変動表示後に所定の確変大当り図柄が停止表示されて前記大当り遊技が実行されると、該大当り遊技の終了後に、前記当り確率が前記高確率とされ、前記開放延長機能が作動しない第１の高確状態を発生させる第１の高確状態発生手段と、
前記第１の高確状態にて、前記第１始動口への入球を契機とした前記図柄の変動表示後に所定の確変大当り図柄が停止表示されて前記大当り遊技が実行されると、該大当り遊技の終了後に、前記当り確率が前記高確率とされ、次に大当り遊技が実行されるまで前記開放延長機能が作動する第２の高確状態を発生させる第２の高確状態発生手段と、
前記第２の高確状態にて、前記第２始動口への入球を契機とした前記図柄の変動表示後に所定の通常大当り図柄が停止表示されて前記大当り遊技が実行されると、該大当り遊技の終了後に、前記当り確率が前記低確率とされ、前記図柄の変動表示回数が所定の限度回数に達するまで前記開放延長機能が作動する第２の低確状態を発生させる第２の低確状態発生手段と、
を備えることを特徴とする。
また、請求項２の発明は、
前記第２の低確状態にて、前記図柄の変動表示回数が前記限度回数に達して前記開放延長機能が作動終了すると、前記第１の低確状態を発生させる
ことを特徴とする。
【手続補正書】
【提出日】平成25年2月4日(2013.2.4)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて打ち込まれた遊技球を受け入れ可能な受入口と、
前記受入口への遊技球の受け入れに基づいて、第１の確率に基づいて大当たりの当落にかかる当落判定処理を行いうる抽選手段と、
前記当落判定処理の結果が前記大当たりであることに基づいて遊技者に有利な大当たり遊技を実行可能な大当たり遊技実行手段と、
前記当落判定処理の実行頻度が相対的に低い通常遊技状態に制御する通常遊技制御手段と、
前記通常遊技状態よりも高い頻度で、前記当落判定処理が行われる有利遊技状態に制御する有利遊技制御手段と、
を備える遊技機であって、
前記通常遊技制御手段は、
前記当落判定処理の結果が第１の通常大当たりであるとき、当該第１の通常大当たりに基づく大当たり遊技が実行されたのちの遊技状態を、前記通常遊技状態に制御するとともに、前記第１の確率に基づく前記当落判定処理が行われる第１の通常遊技状態に制御する第１通常遊技制御手段と、
前記当落判定処理の結果が第２の通常大当たりであるとき、当該第２の通常大当たりに基づく大当たり遊技が実行されたのちの遊技状態を、前記通常遊技状態に制御するとともに、前記第１の確率よりも高い第２の確率に基づいて前記当落判定処理が行われる第２の通常遊技状態に制御する第２通常遊技制御手段と、を有し、
前記有利遊技制御手段は、
前記当落判定処理の結果が特別大当たりであるとき、当該特別大当たりに基づく大当たり遊技が実行されたのちの遊技状態を、前記有利遊技状態に制御すると共に、前記第１の確率より高い第２の確率に基づいて前記当落判定処理が行われる特別有利遊技状態に制御する特別有利遊技制御手段と、
前記特別有利遊技状態における前記当落判定処理の結果が前記第１の通常大当たりであるときには該特別有利遊技状態を終了するものの、当該第１の通常大当たりに基づく大当たり遊技が終了したのちの遊技状態を、前記第１の通常遊技状態に制御するのではなく、前記有利遊技状態に制御すると共に、前記当落判定処理の結果が前記特別大当たりでなくとも前記特別有利遊技状態を引き戻しうる引き戻し遊技状態に制御する引き戻し遊技制御手段と、を有しており、
前記引き戻し遊技制御手段は、
前記引き戻し遊技状態における前記当落判定処理の結果が前記第２の通常大当たりであったとしても、当該第２の通常大当たりに基づく大当たり遊技が終了したのちの遊技状態を、前記第２の通常遊技状態に制御するのではなく、前記特別有利遊技状態に制御する
ことを特徴とする遊技機。
【請求項２】
前記抽選手段は、
前記受入口に遊技球が受け入れられたことに基づいて乱数を取得し、該取得した乱数を用いて前記当落判定処理を行う
請求項１に記載の遊技機。
【請求項３】
所定の表示演出が行われる表示手段をさらに備える
請求項１または２に記載の遊技機。
【手続補正書】
【提出日】平成25年2月4日(2013.2.4)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて打ち込まれた遊技球を受け入れ可能な受入口と、
前記受入口への遊技球の受け入れに基づいて、第１の確率に基づいて大当たりの当落にかかる当落判定処理を行いうる抽選手段と、
前記当落判定処理の結果が前記大当たりであることに基づいて遊技者に有利な大当たり遊技を実行可能な大当たり遊技実行手段と、
前記当落判定処理の実行頻度が相対的に低い通常遊技状態に制御する通常遊技制御手段と、
前記通常遊技状態よりも相対的に高い頻度で、前記当落判定処理が行われる有利遊技状態に制御する有利遊技制御手段と、
を備える遊技機であって、
前記通常遊技制御手段は、
前記当落判定処理の結果が第１の通常大当たりであるとき、当該第１の通常大当たりに基づく大当たり遊技が実行されたのちの遊技状態を、前記通常遊技状態に制御するとともに、前記第１の確率に基づく前記当落判定処理が行われる第１の通常遊技状態に制御する第１通常遊技制御手段と、
前記当落判定処理の結果が第２の通常大当たりであるとき、当該第２の通常大当たりに基づく大当たり遊技が実行されたのちの遊技状態を、前記通常遊技状態に制御するとともに、前記第１の確率よりも高い第２の確率に基づいて前記当落判定処理が行われる第２の通常遊技状態に制御する第２通常遊技制御手段と、を有し、
前記大当たり遊技実行手段は、
賞球としての所定量の遊技球を付与しうる大賞大当たり遊技を実行可能な大賞大当たり遊技実行手段と、
賞球として付与される遊技球が前記所定量よりも少ない小賞大当たり遊技を実行可能な小賞大当たり遊技実行手段と、を有し、
前記小賞大当たり遊技実行手段は、
前記当落判定処理の結果が少なくとも前記第２の通常大当たりであるときに、前記小賞大当たり遊技を実行するものであり、
前記有利遊技制御手段は、
前記当落判定処理の結果が特別大当たりであるとき、当該特別大当たりに基づく大当たり遊技が実行されたのちの遊技状態を、前記有利遊技状態に制御すると共に、前記第１の確率より高い第２の確率に基づいて前記当落判定処理が行われる特別有利遊技状態に制御する特別有利遊技制御手段と、
前記有利遊技状態における前記当落判定処理の結果が前記第２の通常大当たりであるときには、当該第２の通常大当たりに基づく前記小賞大当たり遊技が終了したのちの遊技状態を、前記第２の通常遊技状態に制御するのではなく、前記特別有利遊技状態に制御することで大当たりとしての価値を増幅させうる増幅遊技制御手段と、を有する
ことを特徴とする遊技機。
【請求項２】
前記抽選手段は、
前記受入口への遊技球の受け入れに基づいて乱数を取得し、該取得した乱数を用いて前記当落判定処理を行う
請求項１に記載の遊技機。
【請求項３】
所定の表示演出が行われる表示手段をさらに備える
請求項１または２に記載の遊技機。
【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
当否判定を行う当否判定手段と、
前記当否判定の結果に基づいて、図柄表示装置にて特別図柄を変動表示させるとともに、所定の変動時間が経過すると特別図柄を停止表示させる特別図柄表示手段と、
閉鎖状態と開口状態とに切り換え可能な大入賞口と、
前記当否判定の結果として当りが得られ、この当りに対応する特別図柄として第１当り図柄が停止表示されると、前記大入賞口を所定の態様で開口させる動作を行い、前記当否判定の結果として当りが得られ、この当りに対応する特別図柄として第２当り図柄が停止表示されると、前記大入賞口を前記所定の態様よりも短い期間だけ開口させる動作を行う大入賞口開口手段と、
遊技状態として、少なくとも、前記当否判定の結果が当りとなる確率が所定の確率とされる非確変状態と、前記当否判定の結果が当りとなる確率が前記所定の確率よりも高い確率とされるとともに前記特別図柄の変動時間が短縮される確変状態と、前記当否判定の結果が当りとなる確率が前記所定の確率とされるとともに前記特別図柄の変動時間が短縮される時短状態と、を設定可能であり、前記第１当り図柄として確変当り図柄が停止表示されることに基づいて前記確変状態を設定し、前記第２当り図柄として特定時短当り図柄が停止表示されることに基づいて前記時短状態を設定する遊技状態設定手段と、
前記図柄表示装置と別に設けられた演出表示装置で所定の表示演出を実行する表示演出実行手段と、
を備えた遊技機であって、
前記表示演出実行手段は、
前記遊技状態が前記非確変状態または前記確変状態に設定されているときに、前記当否判定の結果として外れが得られ、この外れに対応する特別図柄として外れ図柄が停止表示される場合に、複数の演出用図柄が同一の図柄で揃わない表示演出を行い、
前記遊技状態が前記非確変状態または前記確変状態に設定されているときに前記確変当り図柄が停止表示される場合に、複数の演出用図柄が同一の図柄で揃う表示演出を行い、
前記遊技状態が前記確変状態に設定されているときに前記特定時短当り図柄が停止表示される場合に、複数の演出用図柄が同一の図柄で揃わない表示演出と、前記確変状態から前記時短状態への変化を示す表示演出とを行う
ことを特徴とする遊技機。
【請求項２】
前記遊技状態設定手段は、前記第２当り図柄として特定確変当り図柄が停止表示されることに基づいて前記確変状態を設定し、
前記表示演出実行手段は、前記遊技状態が前記非確変状態に設定されているときに前記特定確変当り図柄が停止表示される場合に、複数の演出用図柄が同一の図柄で揃わない表示演出と、前記非確変状態から前記確変状態への変化を示す表示演出とを行う
ことを特徴とする請求項１に記載の遊技機。
【請求項３】
前記表示演出実行手段は、前記遊技状態が前記非確変状態に設定されているときに前記特定時短当り図柄が停止表示される場合に、複数の演出用図柄が同一の図柄で揃わない表示演出と、前記非確変状態から前記時短状態への変化を示す表示演出とを行う
ことを特徴とする請求項１または２に記載の遊技機。
【手続補正２】
【補正対象書類名】明細書
【補正対象項目名】０００９
【補正方法】変更
【補正の内容】
【０００９】
上述した課題の少なくとも一部を解決するために、本発明の遊技機は次の構成を採用した。すなわち、請求項１に記載の遊技機は、
当否判定を行う当否判定手段と、
前記当否判定の結果に基づいて、図柄表示装置にて特別図柄を変動表示させるとともに、所定の変動時間が経過すると特別図柄を停止表示させる特別図柄表示手段と、
閉鎖状態と開口状態とに切り換え可能な大入賞口と、
前記当否判定の結果として当りが得られ、この当りに対応する特別図柄として第１当り図柄が停止表示されると、前記大入賞口を所定の態様で開口させる動作を行い、前記当否判定の結果として当りが得られ、この当りに対応する特別図柄として第２当り図柄が停止表示されると、前記大入賞口を前記所定の態様よりも短い期間だけ開口させる動作を行う大入賞口開口手段と、
遊技状態として、少なくとも、前記当否判定の結果が当りとなる確率が所定の確率とされる非確変状態と、前記当否判定の結果が当りとなる確率が前記所定の確率よりも高い確率とされるとともに前記特別図柄の変動時間が短縮される確変状態と、前記当否判定の結果が当りとなる確率が前記所定の確率とされるとともに前記特別図柄の変動時間が短縮される時短状態と、を設定可能であり、前記第１当り図柄として確変当り図柄が停止表示されることに基づいて前記確変状態を設定し、前記第２当り図柄として特定時短当り図柄が停止表示されることに基づいて前記時短状態を設定する遊技状態設定手段と、
前記図柄表示装置と別に設けられた演出表示装置で所定の表示演出を実行する表示演出実行手段と、
を備えた遊技機であって、
前記表示演出実行手段は、
前記遊技状態が前記非確変状態または前記確変状態に設定されているときに、前記当否判定の結果として外れが得られ、この外れに対応する特別図柄として外れ図柄が停止表示される場合に、複数の演出用図柄が同一の図柄で揃わない表示演出を行い、
前記遊技状態が前記非確変状態または前記確変状態に設定されているときに前記確変当り図柄が停止表示される場合に、複数の演出用図柄が同一の図柄で揃う表示演出を行い、
前記遊技状態が前記確変状態に設定されているときに前記特定時短当り図柄が停止表示される場合に、複数の演出用図柄が同一の図柄で揃わない表示演出と、前記確変状態から前記時短状態への変化を示す表示演出とを行う
ことを特徴とする。
また、請求項２に記載の遊技機は、請求項１に記載の遊技機において、
前記遊技状態設定手段は、前記第２当り図柄として特定確変当り図柄が停止表示されることに基づいて前記確変状態を設定し、
前記表示演出実行手段は、前記遊技状態が前記非確変状態に設定されているときに前記特定確変当り図柄が停止表示される場合に、複数の演出用図柄が同一の図柄で揃わない表示演出と、前記非確変状態から前記確変状態への変化を示す表示演出とを行う
ことを特徴とする。
また、請求項３に記載の遊技機は、請求項１または２に記載の遊技機において、
前記表示演出実行手段は、前記遊技状態が前記非確変状態に設定されているときに前記特定時短当り図柄が停止表示される場合に、複数の演出用図柄が同一の図柄で揃わない表示演出と、前記非確変状態から前記時短状態への変化を示す表示演出とを行う
ことを特徴とする。
【手続補正書】
【提出日】平成25年6月13日(2013.6.13)
【手続補正１】
【補正対象書類名】特許請求の範囲
【補正対象項目名】全文
【補正方法】変更
【補正の内容】
【特許請求の範囲】
【請求項１】
一端部に取付部が設けられ、この取付部に貫通孔が設けられたバンド本体と、
このバンド本体における前記取付部の前記貫通孔に対応するねじ孔を有する枠状の尾錠と、
前記バンド本体の長手方向に突出し、且つ前記取付部の前記貫通孔に対応する挿入孔を有する係止部材と、
前記取付部の前記貫通孔および前記係止部材の前記挿入孔に挿入して、前記係止部材を前記バンド本体に取り付ける連結パイプと、
前記尾錠の前記ねじ孔から外部に頭部が露呈して、前記尾錠の前記ねじ孔にねじ部が螺着した状態で、前記連結パイプ内に軸部が回転可能に挿入することにより、前記尾錠を前記バンド本体に取り付けるねじ部材と、
を備えていることを特徴とする時計バンド。
【請求項２】
一端部に取付部が設けられ、この取付部に貫通孔が設けられたバンド本体と、
このバンド本体における前記取付部の前記貫通孔に対応するねじ孔を有する枠状の尾錠と、
前記バンド本体の長手方向に突出し、且つ前記取付部の前記貫通孔に対応する挿入孔を有する係止部材と、
前記尾錠の前記ねじ孔から外部に頭部が露呈して、前記尾錠の前記ねじ孔にねじ部が螺着した状態で、前記取付部の前記貫通孔および前記係止部材の前記挿入孔に軸部が回転可能に挿入することにより、前記尾錠および前記係止部材を前記バンド本体に取り付けるねじ部材と、
を備えていることを特徴とする時計バンド。
【請求項３】
前記ねじ部材の前記軸部は、前記バンド本体の前記取付部に配置された前記係止部材が位置する箇所に到達する長さに形成されていることを特徴とする請求項１または請求項２に記載の時計バンド。
【請求項４】
前記尾錠には、ねじ突起部が前記バンド本体における前記取付部に向けてそれぞれ突出して設けられており、このねじ突起部には、前記取付部の前記貫通孔に対応する前記ねじ孔がそれぞれ貫通して設けられていることを特徴とする請求項１〜請求項３のいずれかに記載の時計バンド。
【請求項５】
前記ねじ突起部が位置する前記尾錠の外面には、前記ねじ部材の前記頭部が挿入して配置される座ぐり部がそれぞれ設けられていることを特徴とする請求項４に記載の時計バンド。
【請求項６】
請求項１または請求項２に記載の時計バンドと、
この時計バンドが取り付けられる腕時計ケースと
を備えていることを特徴とする腕時計。
【手続補正２】
【補正対象書類名】明細書
【補正対象項目名】０００８
【補正方法】変更
【補正の内容】
【０００８】
この発明は、上記課題を解決するために、次のような構成要素を備えている。
請求項１に記載の発明は、一端部に取付部が設けられ、この取付部に貫通孔が設けられたバンド本体と、このバンド本体における前記取付部の前記貫通孔に対応するねじ孔を有する枠状の尾錠と、前記バンド本体の長手方向に突出し、且つ前記取付部の前記貫通孔に対応する挿入孔を有する係止部材と、前記取付部の前記貫通孔および前記係止部材の前記挿入孔に挿入して、前記係止部材を前記バンド本体に取り付ける連結パイプと、前記尾錠の前記ねじ孔から外部に頭部が露呈して、前記尾錠の前記ねじ孔にねじ部が螺着した状態で、前記連結パイプ内に軸部が回転可能に挿入することにより、前記尾錠を前記バンド本体に取り付けるねじ部材と、
を備えていることを特徴とする時計バンドである。
【手続補正３】
【補正対象書類名】明細書
【補正対象項目名】０００９
【補正方法】変更
【補正の内容】
【０００９】
請求項２に記載の発明は、一端部に取付部が設けられ、この取付部に貫通孔が設けられたバンド本体と、このバンド本体における前記取付部の前記貫通孔に対応するねじ孔を有する枠状の尾錠と、前記バンド本体の長手方向に突出し、且つ前記取付部の前記貫通孔に対応する挿入孔を有する係止部材と、前記尾錠の前記ねじ孔から外部に頭部が露呈して、前記尾錠の前記ねじ孔にねじ部が螺着した状態で、前記取付部の前記貫通孔および前記係止部材の前記挿入孔に軸部が回転可能に挿入することにより、前記尾錠および前記係止部材を前記バンド本体に取り付けるねじ部材と、を備えていることを特徴とする時計バンドである。
【手続補正４】
【補正対象書類名】明細書
【補正対象項目名】００１０
【補正方法】変更
【補正の内容】
【００１０】
請求項３に記載の発明は、前記ねじ部材の前記軸部は、前記バンド本体の前記取付部に配置された前記係止部材が位置する箇所に到達する長さに形成されていることを特徴とする請求項１または請求項２に記載の時計バンドである。
【手続補正５】
【補正対象書類名】明細書
【補正対象項目名】００１１
【補正方法】変更
【補正の内容】
【００１１】
請求項４に記載の発明は、前記尾錠に、ねじ突起部が前記バンド本体における前記取付部に向けてそれぞれ突出して設けられており、このねじ突起部には、前記取付部の前記貫通孔に対応する前記ねじ孔がそれぞれ貫通して設けられていることを特徴とする請求項１〜請求項３のいずれかに記載の時計バンドである。
【手続補正書】
【提出日】平成25年7月11日(2013.7.11)
【手続補正１】
【補正対象書類名】明細書
【補正対象項目名】００２８
【補正方法】変更
【補正の内容】
【００２８】
図１に、ＨＶインバータの冷却器１を斜視図により示す。図２に、この冷却器１の概略を、図１のＡ−Ａ線に沿った断面図により示す。冷却器１は、箱形に形成されたケース２と、ケース２の中に設けられた冷却フィン３と、冷却フィン３の上に設けられた第１の部材としての天板４と、天板４の上に設けられた第２の部材としての複数の絶縁基板５とを備える。ケース２は、その外周にフランジ２ａを含む。天板４は、冷却フィン３の上を覆うように配置され、その外周にフランジ４ａを含む。各絶縁基板５の上には、それぞれ発熱体としてのパワー半導体９（図４参照）が固定されるようになっている。
【手続補正２】
【補正対象書類名】明細書
【補正対象項目名】００３４
【補正方法】変更
【補正の内容】
【００３４】
次に、図５（２）に示すように、絶縁基板５を仮固定した天板４、冷却フィン３及びケース２等を互いに組み付ける。すなわち、図９に斜視図で示すように、ケース２の凹部２ｂに冷却フィン３を配置し、その冷却フィン３の上に天板４を配置するなどする。このとき、図２に示すように、ケース２のフランジ２ａと天板４のフランジ４ａとを合わせるのであるが、その間に所定の厚みを有するろう材層６を設けておく。
【手続補正３】
【補正対象書類名】明細書
【補正対象項目名】００４４
【補正方法】変更
【補正の内容】
【００４４】
これに対し、図１３に示すように、ろう付け後には、天板４と絶縁基板５とが、ろう材層６を介して接合されている。天板４と絶縁基板５との間には、溶接痕７の間に挟まれるように、ボイド８が集中的に存在する。ここで、ろう材層６は、天板４と一体をなしていたろう材１２と酸化膜１３とが融合して一体化している。また、溶接痕７が起点となり、ろう材１２が流動し、ボイド８が、隣接する２つの溶接痕７のそれぞれを中心に、両溶接痕７の間の半分の長さを半径とする円を描いた場合に、それらの円が重ならない位置に集まっている。
【手続補正書】
【提出日】平成25年3月22日(2013.3.22)
【手続補正１】
【補正対象書類名】明細書
【補正対象項目名】００４７
【補正方法】変更
【補正の内容】
【００４７】
一方、給脂弁本体３２の軸方向の他端側には、補給通路３２Ａよりも大きな孔径を有しグリースが流出する流出口３２Ｃが設けられ、該流出口３２Ｃ内には後述の逆止弁機構３４が設けられている。さらに、給脂弁本体３２の他端部にはテーパ状に突出するシート面３２Ｄが形成され、該シート面３２Ｄは、グリース通路２９の径方向通路２９Ａと弁取付孔３０との境界部に形成された弁座２９Ｃに着座するものである。
【手続補正２】
【補正対象書類名】明細書
【補正対象項目名】００４９
【補正方法】変更
【補正の内容】
【００４９】
３５は給脂弁本体３２の他端側の外周面、即ち、弁取付孔３０への螺入方向の前側の外周面に設けられた雄ねじ部を示し、該雄ねじ部３５は、弁取付孔３０の雌ねじ孔３０Ａに螺入されるものである。従って、給脂弁３１は、雄ねじ部３５を弁取付孔３０の雌ねじ孔３０Ａに螺入することにより、弁取付孔３０内に挿入され、給脂弁本体３２のシート面３２Ｄが、グリース通路２９の径方向通路２９Ａと弁取付孔３０との境界部に形成された弁座２９Ｃに着座することにより、弁取付孔３０に固定される構成となっている（図５参照）。
【手続補正３】
【補正対象書類名】明細書
【補正対象項目名】００５０
【補正方法】変更
【補正の内容】
【００５０】
３６は雄ねじ部３５に設けられたグリース排出溝で、該グリース排出溝３６は、図７および図８に示すように、雄ねじ部３５が形成された給脂弁本体３２の他端側の外周面を切欠くことにより、軸方向に延びる凹陥溝として形成されている。従って、図６に示すように、給脂弁３１の雄ねじ部３５を弁取付孔３０の雌ねじ孔３０Ａから緩め、給脂弁本体３２のシート面３２Ｄを、グリース通路２９と弁取付孔３０との境界部の弁座２９Ｃから離座させることにより、グリース室２８内のグリースは、グリース通路２９からグリース排出溝３６を通じて弁取付孔３０の円筒孔３０Ｂに導出され、該円筒孔３０Ｂから外部に排出されるようになっている。
【手続補正４】
【補正対象書類名】明細書
【補正対象項目名】００５３
【補正方法】変更
【補正の内容】
【００５３】
３９は環状溝３８に嵌合して取付けられたシールリングを示し、該シールリング３９は、例えば耐油性に優れたゴム材料を用いて断面円形の環状に形成され、環状溝３８に適度な締め代をもって嵌合している。ここで、図５に示すように、給脂弁３１を弁取付孔３０に取付け、給脂弁本体３２のシート面３２Ｄが、グリース通路２９と弁取付孔３０との境界部の弁座２９Ｃに着座した状態では、シールリング３９は、弁取付孔３０の円筒孔３０Ｂの内周面に弾性をもって当接する。これにより、シールリング３９は、給脂弁３１の給脂弁本体３２の外周面と弁取付孔３０の内周面との間をシールし、泥水等が弁取付孔３０内に侵入するのを阻止する。
【手続補正５】
【補正対象書類名】明細書
【補正対象項目名】００５４
【補正方法】変更
【補正の内容】
【００５４】
一方、図６に示すように、給脂弁３１を弁取付孔３０から緩め、給脂弁本体３２のシート面３２Ｄが、グリース通路２９と弁取付孔３０との境界部の弁座２９Ｃから離座した状態では、シールリング３９は、弁取付孔３０の円筒孔３０Ｂから外部に離脱する。これにより、グリース室２８内のグリースは、グリース通路２９からグリース排出溝３６を通じて弁取付孔３０の円筒孔３０Ｂに導出され、該円筒孔３０Ｂから外部に排出される。
【手続補正６】
【補正対象書類名】明細書
【補正対象項目名】００５８
【補正方法】変更
【補正の内容】
【００５８】
ここで、図５に示すように、給脂弁３１を弁取付孔３０に取付け、給脂弁本体３２のシート面３２Ｄが、グリース通路２９と弁取付孔３０との境界部の弁座２９Ｃに着座した状態では、給脂弁３１のストッパ部４０とバルブ抜止め板４２の当接板部４２Ｂとの間には間隔Ｌが形成されている。一方、図６に示すように、給脂弁３１を緩めることにより、給脂弁本体３２のシート面３２Ｄが弁座２９Ｃから離座すると共に、シールリング３９が弁取付孔３０の円筒孔３０Ｂから外部に離脱したときには、給脂弁３１のストッパ部４０が、バルブ抜止め板４２の当接板部４２Ｂに当接する。これにより、給脂弁３１を緩めたときの移動量が規制される構成となっている。
【手続補正７】
【補正対象書類名】明細書
【補正対象項目名】００６０
【補正方法】変更
【補正の内容】
【００６０】
まず、図５に示すように、給脂弁３１は弁取付孔３０に固定されており、給脂弁本体３２のシート面３２Ｄは、グリース通路２９（径方向通路２９Ａ）と弁取付孔３０との境界部に形成された弁座２９Ｃに着座している。この状態で、給脂弁３１のシールリング３９は、弁取付孔３０を構成する円筒孔３０Ｂの内周面に弾性をもって当接する。また、給脂弁３１のストッパ部４０は、フレーム側ロッド２４のホルダ２６に取付けられたバルブ抜止め板４２の当接板部４２Ｂに間隔Ｌをもって対面している。
【手続補正８】
【補正対象書類名】明細書
【補正対象項目名】００６６
【補正方法】変更
【補正の内容】
【００６６】
この場合には、図６に示すように、給脂弁３１を弁取付孔３０から緩めることにより、給脂弁本体３２のシート面３２Ｄを、グリース通路２９と弁取付孔３０との境界部の弁座２９Ｃから離座させると共に、給脂弁３１のシールリング３９を、弁取付孔３０の円筒孔３０Ｂから外部に離脱させる。これにより、グリース室２８内のグリースを、グリース通路２９からグリース排出溝３６を通じて弁取付孔３０の円筒孔３０Ｂに導出し、該円筒孔３０Ｂから外部に排出することができる。これにより、グリース室２８から排出されたグリースの量に応じてフレーム側ロッド２４をチューブ２２内に縮小させることができ、ヨーク９を介して遊動輪１０を駆動輪１１に接近する方向に移動させることにより、履帯１３の張力を弱めることができる。
【手続補正書】
【提出日】平成25年11月8日(2013.11.8)
【手続補正１】
【補正対象書類名】明細書
【補正対象項目名】０００４
【補正方法】変更
【補正の内容】
【０００４】
実施の形態の商品データ処理装置において、一つの撮像部と、第１情報抽出手段と、第２情報抽出手段と、情報提示手段と、を備える。
そして、第１情報抽出手段は、撮像部により撮像された画像の画像データから、商品特定情報を抽出する。また、第２情報抽出手段は、撮像部により撮像された画像の画像データから、前記商品特定情報とは異なる他の商品特定情報を抽出する。
これにより、情報提示手段は、第１情報抽出手段により抽出された商品特定情報又は第２情報抽出手段により抽出された他の商品特定情報のいずれかにより商品が特定された場合に、特定された商品情報を提示する。
【手続補正２】
【補正対象書類名】特許請求の範囲
【補正対象項目名】全文
【補正方法】変更
【補正の内容】
【特許請求の範囲】
【請求項１】
一つの撮像部と、
前記撮像部により撮像された画像の画像データから、商品特定情報を抽出する第１情報抽出手段と、
前記撮像部により撮像された画像の画像データから、前記商品特定情報とは異なる他の商品特定情報を抽出する第２情報抽出手段と、
前記第１情報抽出手段により抽出された前記商品特定情報又は前記第２情報抽出手段により抽出された前記他の商品特定情報のいずれかにより商品が特定された場合に、特定された商品情報を提示する情報提示手段と、
を備えた商品データ処理装置。
【請求項２】
前記第１情報抽出手段は、前記画像に含まれる商品を特定するための物体認識の処理に用いる画像の特徴量を前記商品特定情報として抽出し、
前記第２情報抽出手段は、前記画像に含まれるコードシンボルを前記他の商品特定情報として抽出する、
請求項１記載の商品データ処理装置。
【請求項３】
前記情報提示手段は、前記第１情報抽出手段により前記画像の特徴量が抽出され、かつ、前記第２情報抽出手段により前記コードシンボルが抽出された場合には、前記コードシンボルに対応する商品情報を提示する、
請求項２記載の商品データ処理装置。
【請求項４】
前記商品情報を表示する表示手段を備え、
前記情報提示手段は、前記商品情報の提示として、前記特定された商品の商品名を前記表示手段に表示する、
請求項１ないし３の何れか一記載の商品データ処理装置。
【請求項５】
一つの撮像部を備えた商品データ処理装置において実行される商品データ処理方法であって、
前記撮像部により撮像された画像の画像データから、商品特定情報を抽出する第１情報抽出過程と、
前記撮像部により撮像された画像の画像データから、前記商品特定情報とは異なる他の商品特定情報を抽出する第２情報抽出過程と、
前記第１情報抽出手段により抽出された前記商品特定情報又は前記第２情報抽出手段により抽出された前記他の商品特定情報のいずれかにより商品が特定された場合に、特定された商品情報を提示する情報提示過程と、
を含む商品データ処理方法。
【請求項６】
一つの撮像部を備えた商品データ処理装置をコンピュータにより制御するための制御プログラムであって、
前記コンピュータを、
前記撮像部により撮像された画像の画像データから、商品特定情報を抽出する第１情報抽出手段と、
前記撮像部により撮像された画像の画像データから、前記商品特定情報とは異なる他の商品特定情報を抽出する第２情報抽出手段と、
前記第１情報抽出手段により抽出された前記商品特定情報又は前記第２情報抽出手段により抽出された前記他の商品特定情報のいずれかにより商品が特定された場合に、特定された商品情報を提示する情報提示手段と、
して機能させる制御プログラム。
【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
レーザ発振器に対してレーザ発振用の高周波の電圧パルスを出力する電力変換用のインバータと、このインバータの動作を制御する制御手段とを備え、
上記制御手段は、被加工物の加工条件に応じて上記電圧パルスのキャリア周波数をパルス周波数変調制御するための情報を生成するパルス周波数変調制御情報生成手段と、
上記パルス周波数変調制御情報生成手段で生成されたパルス周波数変調制御情報を反映させてパルス周波数変調された指令パルスを生成する指令パルス発生手段と、
上記指令パルス発生手段で発生された指令パルスに基づいて上記インバータのスイッチング素子をオンオフ制御するインバータ駆動手段とを備え、上記インバータ駆動手段の駆動により上記インバータからパルス周波数変調された上記電圧パルスを出力するレーザ加工機用電源装置。
【請求項２】
上記パルス周波数変調制御情報生成手段は、被加工物の加工条件に応じて上記電圧パルスのキャリア周波数をパルス周波数変調制御するための時間とキャリア周波数の関係を設定した情報が予め登録されたメモリ手段で構成されている請求項１に記載のレーザ加工機用電源装置。
【請求項３】
上記パルス周波数変調制御情報生成手段は、被加工物の加工材質に合わせて、上記インバータからレーザパルスの１パルス分に相当する一連の電圧パルスが出力されるたびに、パルス周波数変調制御用の情報を変更するものである請求項１または請求項２に記載のレーザ加工機用電源装置。
【請求項４】
上記パルス周波数変調制御情報生成手段からの上記パルス周波数変調制御情報に基づいて上記インバータからパルス周波数変調されて出力される電圧パルスのキャリア周波数が予め規定された周波数よりも高い場合には、上記指令パルス発生手段はレーザパルスの１パルス分に相当する一連の上記指令パルスの内、初期の立上りパルスのみパルス幅を長くする請求項１ないし請求項３のいずれか１項に記載のレーザ加工機用電源装置。
【請求項５】
上記パルス周波数変調制御情報生成手段は、上記電圧パルスのキャリア周波数が、上記レーザ発振器の共振周波数よりも高い周波数から徐々に低くなるようなパルス周波数変調制御情報を生成するものである請求項１ないし請求項４のいずれか１項に記載のレーザ加工機用電源装置。
【請求項６】
上記パルス周波数変調制御情報生成手段は、上記電圧パルスのキャリア周波数が、上記レーザ発振器の共振周波数よりも低い周波数から徐々に高くなるようなパルス周波数変調制御情報を生成するものである請求項１ないし請求項４のいずれか１項に記載のレーザ加工機用電源装置。
【手続補正２】
【補正対象書類名】明細書
【補正対象項目名】００３３
【補正方法】変更
【補正の内容】
【００３３】
そして、上記の制御回路１５が特許請求の範囲における制御手段に、選択回路１８とＬＵＴ１７とが特許請求の範囲におけるパルス周波数変調制御情報生成手段に、ＬＵＴ１７が特許請求の範囲のメモリ手段に、指令パルス発生回路１９が特許請求の範囲における指令パルス発生手段に、ゲートパルス生成回路２０とゲートドライブ回路１６ａ，１６ｂが特許請求の範囲におけるインバータ駆動手段に、それぞれ対応している。
【手続補正書】
【提出日】平成25年11月7日(2013.11.7)
【手続補正１】
【補正対象書類名】特許請求の範囲
【補正対象項目名】全文
【補正方法】変更
【補正の内容】
【特許請求の範囲】
【請求項１】
記憶装置用のサスペンションアセンブリであって、
ベースプレートと、
前記ベースプレートに可動に取付けられ、回転中心を中心として回転するよう適合された可動部とを含み、
前記可動部は、前記ベースプレートにかかる１つ以上の慣性負荷が最小限に抑えられるように、前記回転中心の近くに質量中心を有するよう適合されている、サスペンションアセンブリ。
【請求項２】
前記可動部に取付けられた釣合い錘をさらに含む、請求項１に記載のサスペンションアセンブリ。
【請求項３】
前記釣合い錘は、前記回転中心と前記ベースプレートとの間の位置で前記可動部に取付けられる、請求項２に記載のサスペンションアセンブリ。
【請求項４】
前記可動部の上端はトランスデューサヘッドに取付けられ、前記上端は、前記ベースプレートと比べ、前記回転中心の反対側にある、請求項２に記載のサスペンションアセンブリ。
【請求項５】
前記質量中心は、前記回転中心に位置している、請求項１〜４のいずれか１項に記載のサスペンションアセンブリ。
【請求項６】
前記ベースプレートは、アクチュエータアームに可動に取付けられるよう適合されている、請求項１〜５のいずれか１項に記載のサスペンションアセンブリ。
【請求項７】
前記可動部は、複数のアクチュエータによって制御される、請求項１〜６のいずれか１項に記載のサスペンションアセンブリ。
【請求項８】
前記アクチュエータは、圧電アクチュエータである、請求項７に記載のサスペンションアセンブリ。
【請求項９】
前記アクチュエータは、前記回転中心と前記質量中心との間に位置している、請求項７に記載のサスペンションアセンブリ。
【請求項１０】
前記釣合い錘は、前記アクチュエータアームに印加される組合された慣性負荷がゼロとなるような位置で前記可動部に取付けられる、請求項６に記載のサスペンションアセンブリ。
【請求項１１】
アクチュエータアームの運動を制御するよう適合されたサーボコントローラと、
前記アクチュエータアームに取付けられたサスペンションアセンブリとを含み、
前記サスペンションアセンブリは、その質量中心の近くにその回転中心を有するような態様で設計される、記憶装置。
【請求項１２】
前記サスペンションアセンブリは、前記サスペンションアセンブリの可動部に取付けられた釣合い錘をさらに含む、請求項１１に記載の記憶装置。
【請求項１３】
前記釣合い錘は、前記アクチュエータアームに印加される組合された慣性負荷がゼロとなるような位置で前記可動部に取付けられる、請求項１２に記載の記憶装置。
【手続補正書】
【提出日】平成25年8月21日(2013.8.21)
【手続補正１】
【補正対象書類名】特許請求の範囲
【補正対象項目名】請求項３
【補正方法】変更
【補正の内容】
【請求項３】
前記台詞領域を示す前記第２の領域情報は、前記ページ画像内のいずれかのテキストが存在するテキスト領域を示すテキスト領域情報であって、当該テキスト領域情報は前記関連付け情報によって前記キャラクタ領域を示す前記第１の領域情報に関連付けられており、
前記決定手段は、前記キャラクタ領域及び当該キャラクタの台詞が描かれた前記テキスト領域の両方が前記表示範囲内に入るか否かを判定することで、前記系列に含める前記表示範囲の位置を決定する請求項１または２に記載のビューワ装置。
【手続補正２】
【補正対象書類名】特許請求の範囲
【補正対象項目名】請求項９
【補正方法】変更
【補正の内容】
【請求項９】
コミックの１ページ毎のページ画像と、前記コミックに登場するキャラクタが描かれた前記ページ画像内のキャラクタ領域を示す第１の領域情報と、前記キャラクタの台詞が描かれた台詞領域を示す第２の領域情報と、前記第１の領域情報と前記第２の領域情報とを関連付ける関連付け情報とを含む電子コミックデータを編集する電子コミック編集方法であって、
前記電子コミックデータを取得するデータ取得工程と、
前記ページ画像内で順次移動させる表示手段の画面サイズに対応した表示範囲の位置の系列を決定する決定工程であって、前記関連付け情報によって互いに関連付けられた前記第１の領域情報及び前記第２の領域情報に基づいて、前記キャラクタ及び当該キャラクタの台詞を前記表示手段に同時に表示させる前記表示範囲の位置を前記系列に含める決定工程と、
前記決定工程で決定された前記系列を示す情報を前記電子コミックデータに書き込む工程と、
を備えた電子コミック編集方法。
【手続補正３】
【補正対象書類名】明細書
【補正対象項目名】００１１
【補正方法】変更
【補正の内容】
【００１１】
一実施形態では、前記台詞領域を示す前記第２の領域情報は、前記ページ画像内のいずれかのテキストが存在するテキスト領域を示すテキスト領域情報であって、当該テキスト領域情報は前記関連付け情報によって前記キャラクタ領域を示す前記第１の領域情報に関連付けられており、前記決定手段は、前記キャラクタ領域及び当該キャラクタの台詞が描かれた前記テキスト領域の両方が前記表示範囲内に入るか否かを判定することで、前記系列に含める前記表示範囲の位置を決定する。
【手続補正４】
【補正対象書類名】明細書
【補正対象項目名】００１８
【補正方法】変更
【補正の内容】
【００１８】
また、本発明は、コミックの１ページ毎のページ画像と、前記コミックに登場するキャラクタが描かれた前記ページ画像内のキャラクタ領域を示す第１の領域情報と、前記キャラクタの台詞が描かれた台詞領域を示す第２の領域情報と、前記第１の領域情報と前記第２の領域情報とを関連付ける関連付け情報とを含む電子コミックデータを編集する電子コミック編集方法であって、前記電子コミックデータを取得するデータ取得工程と、前記ページ画像内で順次移動させる表示手段の画面サイズに対応した表示範囲の位置の系列を決定する決定工程であって、前記関連付け情報によって互いに関連付けられた前記第１の領域情報及び前記第２の領域情報に基づいて、前記キャラクタ及び当該キャラクタの台詞を前記表示手段に同時に表示させる前記表示範囲の位置を前記系列に含める決定工程と、前記決定工程で決定された前記系列を示す情報を前記電子コミックデータに書き込む工程と、を備えた電子コミック編集方法を提供する。
【手続補正５】
【補正対象書類名】明細書
【補正対象項目名】００６３
【補正方法】変更
【補正の内容】
【００６３】
次に、操作部４６に表示範囲の移動指示（「画面送り指示」ともいう）が入力されたか否かを判定する（ステップＳ６）。表示制御部４５は、操作部４６に画面送り指示が入力される毎に、ステップＳ４で決定された移動系列に従って表示範囲をページ画像内で移動させると共に、ページ画像から表示範囲毎の画像を抽出し、その表示範囲内の画像を表示部４４に表示させる（ステップＳ８）。
【手続補正６】
【補正対象書類名】図面
【補正対象項目名】図４
【補正方法】変更
【補正の内容】
【図４】
2013089195.tif 000001